(57)【要約】  シガレットパック（１０）のための乾燥タレット（１３）の容量を増加させるために、その領域に、ユニットがいくつかのポケット（１４、１５）を備え、このポケット（１４、１５）は、交互に、積荷位置と荷降位置に動かされる。それによって、パック（１０）の乾燥タレットでの滞在期間が、１ユニット毎のポケット（１４、１５）の数に応じて、増加する。
2010512287.tif 000002
【特許請求の範囲】
【請求項１】
いくつかの密に並んで配置されているパック（１０）の収納のために、複数のポケット（１４、１５、１６）を備え、積荷装置の領域で、パック（１０）が、軸と平行な移動によって、ポケット（１４、１５、１６）に積荷可能であり、かつ、同時に、向かい側で、パック（１０）が、前記ポケット（１４、１５、１６）から押し出し可能である（直方体形状の）パック（１０）の移動のためのコンベヤ、特に、シガレットパックのための乾燥タレット（１３）において、
コンベヤで、特に、乾燥タレットの領域で動作可能であり、特に、少なくとも２つのポケット（１４、１５、１６）を備えた回転可能なポケットユニットが配置されており、
この少なくとも２つのポケット（１４、１５、１６）は、ユニットの動作、又は、回転によって、交互に、積荷位置、または、荷降位置に到達することを特徴とするコンベヤ。
【請求項２】
請求項１に記載のコンベヤにおいて、
ユニットのポケット（１４、１５、１６）は、ポケット支持体（２９）上に配置され、
このポケット支持体（２９）は、ポケット支持体（２９）上に配置されるポケットが交互に、軸方向外に向かった位置に到達するように、移動方向に対して直行して回転可能、特に、乾燥タレット（１３）の回転方向に対して直行方向の軸を回転可能であることを特徴とするコンベヤ。
【請求項３】
請求項１又は２に記載のコンベヤにおいて、
ポケット支持体上に、２つの互いに反対の向かい側にポケット（１４、１５）は、配置されており、
このポケット（１４、１５）のうちの１つのポケット（１４、１５）は、乾燥タレット（１３）の軸方向外側にあり、かつ、
もう一方のポケット（１５、１４）は、乾燥タレット（１３）の凹部にあることを特徴とするコンベヤ。
【請求項４】
請求項１又は２に記載のコンベヤにおいて、
２以上のポケット（１４、１５）は、同一の周囲の間隔で、互いに、共通のポケット支持体上に配置され、特に、３つのポケット（１４、１５、１６）は、ポケット支持体（２９）の適切な一部の回転によって、積荷及び荷降のために、連続して外側位置に達することを特徴とするコンベヤ。
【請求項５】
請求項１乃至４のいずれかに記載のコンベヤにおいて、
ポケット支持体（２９）の回転動作は、特に、連続して回転する乾燥タレット（１３）の回転領域の上に生じ、特に、共通の制御装置の上に、回転動作の制御によって生じる
【請求項６】
請求項１乃至５のいずれかに記載のコンベヤにおいて、
ポケット支持体（２９）は、個々に、配置された制御装置、又は、共通の固定された制御装置によって、回転可能であり、特に、固定されたカム制御によって、検出装置、又は、検出ローラで、乾燥タレット（１３）の相対回転動作の間、適切に構成されたカム軌道に基づいて進行し、ポケット支持体（２９）の回転動作が生じることを特徴とするコンベヤ。
【請求項７】
請求項１乃至６のいずれかに記載のコンベヤにおいて、
ポケット（１４、１５、１６）のユニットは、特に、ポケット支持体（２９）は、動作手段を介して、特に、動作シャフト（３３）を介して、ローラ支持部と結合しており、かつ、
カム軌道（４１、４２、４３）上を進行するローラ（３６、３７、３８、３９）が配置され、かつ、
ローラ支持体は、ポケット支持体（２９）に対して適切な回転動作の伝達のために、カム軌道の輪郭に基づいて、乾燥タレット（１３）の一部の回転の間に回転可能であることを特徴とするコンベヤ。
【請求項８】
請求項１乃至７のいずれかに記載のコンベヤにおいて、
ローラースター（３４）としてのローラ支持体は、それぞれ互いに、約９０°ずれたローラ（３６−３９、５６、５７）を構成し、かつ、
少なくとも２つのローラ（３８、３９；５６、５７）は、第１のカム軌道（４１、４２）上を進み、かつ、更なるローラ（３６、３７）は、更なるカム軌道（４３）上を進み、かつ、
これらの軌道は、互いに同調した形状によって、特に、一方では、カム軌道（４１、４２）のくぼみによって、他方では、更なるカム軌道（４３）の高台によって、ローラースター（３４）の回転が生じることを特徴とするコンベヤ。
【請求項９】
請求項１乃至８のいずれかに記載のコンベヤにおいて、
ローラスター（３４）は、３つのローラペアを配置し、かつ、それぞれの３つのカム軌道（４１、４２、４３）が配置され、かつ、
２つのカム軌道（４１、４２）は、一致した形状及び大きさを備え、かつ、
第３のカム軌道（４３）は、これに加えて、半径方向にずれていることを特徴とするコンベヤ。
【請求項１０】
請求項１乃至９のいずれかに記載のコンベヤにおいて、
乾燥タレット（１３）は、パック（１０）の受取のために、かつ、ポケット（１４、１５、１６）のそれぞれの領域の準備のために、引き渡しパック（１０）の両側に、効果的なグリップアーム（４６）が備えられ、かつ、
このグリップアーム（４６）は、それぞれ共通のアームホルダー（４７）を介して、開口位置と閉じた位置の間を旋廻可能であり、かつ、
アームホルダー（４７）は、動作部（４８）を介して回転可能であり、かつ、
この動作部（４８）は、固定された制御カムの検出ローラ（４９、５０）を使用して、つまり、共通の筐体（３５）の内側軌道（５１）を使用して動作可能である。
【発明の詳細な説明】
【技術分野】
【０００１】
本発明は、好ましくは、移動方向に対して直交に、密に並んで配置されている複数のパックを収納するための複数のポケットを備えた、（直方体形状の）パックの移動のためのコンベヤ、特に、シガレットのパックのための乾燥タレットに関する。この場合、積荷領域で、パックは、軸方向平行の移動によって、ポケットに積荷可能であり、かつ、同時に、向かい側で、パックがこのポケットから積荷可能である。
【０００２】
本発明の好ましい適用分野は、シガレットのパック装置のユニットとしての乾燥タレットである。パックは、折り曲げ工程に引き続いて、接着材によって、相互に接続している折り曲げタブを備えている。パックの接着領域は、接着材が十分な堅さ、又は、硬さにするために、滞在時間を必要とする。そして、その滞在時間に、外形が直方体形状に、パックの形を固定する。このために、乾燥タレットが用いられる。
【背景技術】
【０００３】
シガレットのパックのために、様々な方法で、乾燥タレットを用いることは公知である。独国特許出願公開第４３００１４９号明細書による乾燥タレットは、連続的に回転可能である。範囲内で配置され、軸の平行に向けられたポケットは、それぞれに３つのパックの収納ために並べられている。端部で、パックはポケットに積荷され、かつ、同時に向かい合っているパックを押し動かしている。
【０００４】
より高い出力のパック機の場合、安定した折り曲げタブの接着結合を保証するために、シガレットのパックの滞在時間が、従来の乾燥タレットでは十分でない。このような乾燥タレットの寸法の拡大は、底面部分から起きることは考慮に入っていない。
【先行技術文献】
【特許文献】
【０００５】
【特許文献１】独国特許出願公開第４３００１４９号明細書
【発明の概要】
【発明が解決しようとする課題】
【０００６】
それ故、本発明は、寸法の増大することなく、かつ、通常の製造プロセスを維持して、シガレットのパックのための特に乾燥タレットの生産能力を著しく向上することを課題としている。
【課題を解決するための手段】
【０００７】
課題の解決のために、本発明によるコンベヤ、又は、乾燥タレットは、コンベヤで、特に、乾燥タレットの領域で、移動可能な、特に、回転可能な少なくとも２つのポケットを持ったユニットが配置されており、この少なくとも２つのポケットは、そのユニットの移動、又は、回転のどちらかによって、外に向いている積荷位置、又は、荷降位置に達する。
【０００８】
特に乾燥タレットから構成されるコンベヤは、２以上のポケットから構成されるユニットを備えている。この２以上のポケットは、ポケット支持部で、このユニットの回転によって、相対的に、連続的に回転する乾燥タレットに向かって、次々に、このユニットのポケットが外に向けられる、又は、積荷、及び/又は、荷下ろしのための位置に向けられる。乾燥タレットの寸法を増大することなしに、生産能力が、そのユニット毎のポケットの数に対応して増大する。パックが、乾燥タレットの複数の回転の間に、備えられたポケットに構成される。この際、パックのポケットへの供給及び取り出しは、従来の方法で行われる。
【０００９】
約１８０°（１ユニットにつき２つのポケットの場合）、又は、１２０°（１ユニットにつき３つのポケットの場合）のそのユニットの回転は、固定された調節装置によって、特に、カム機構によって、いずれの乾燥タレットの回転の場合も、所定の回転領域で実行される。
【００１０】
本発明の更なる詳細は、特に、乾燥タレット及び伝動機構の形状に関する。本発明の実施例は、図面に基づいて、この後でより詳しく説明する。
【図面の簡単な説明】
【００１１】
【図１】シガレットのパック装置の一部分を、図解による側面図で示している。
【図２】図１のパック装置の詳細として、乾燥タレットの一部領域を拡大図で示している。
【図３】図２の断面ＩＩＩ―ＩＩＩによるポケット、又は、ポケットユニットの領域の縦断面を再度拡大図で示している。
【図４】図３の断面ＩＶ―ＩＶに対応するポケット、または、ポケットユニットの調節装置による横断面を示している。
【図５】図３の断面Ｖ―Ｖに沿って調節装置領域で、図４に対して軸方向に進ませた横断面を示している。
【図６】図３の断面ＶＩ―ＶＩに対応するポケットユニットによる横断面、又は、軸断面を示している。
【図７】ポケットユニットの別の実施例のための図６に対応する図を示している。
【図８】作動装置、つまり、ローラースターの詳細を図面で示している。
【図９】図８の横断面での詳細を示している。
【発明を実施するための形態】
【００１２】
図面は、直方体形状のパック１０、すなわち、シガレットパックの操作及び処理の理解に役に立つ。具体的には、柔らかい容器として実施される場合にパック１０が問題となる。パック１０は、折り曲げタレット１１の領域で作成され、かつ、それから、中間コンベヤ、すなわち、移送タレット１２で引き継がれ、この移送タレットは、パック１０が更なるタレット、すなわち、乾燥タレット１３に、パック１０の接着結合を硬くするために引き渡す。これは、特別な方法で構成される。
【００１３】
乾燥タレット１３は、特に、より多数のパック１０を、より長い滞在期間の間受け入れ、かつ、パック１０の直方体形状の形を安定させ、接着結合の期間に、固め、又は、乾燥させるという課題がある。乾燥タレット１３は、この目的のために、乾燥タレットの周りに、多数のポケット１４、１５、１６を備えている。ポケット１４−１６は、乾燥タレットの回転方向横に、かつ、軸と平行に構成されている。ポケット１４−１６は、パック１０の大きさに対応し、すなわち、底壁１７、又は、上端壁１８に対応して、長方形の横断面を備えたスリーブ形状に構成されている。ポケット１４−１６の中に、パック１０の密な列が形成され、又は、保持されており、この場合、パック１０は、直接に互いに接し合っており、すなわち、底壁１７と上端壁１８を備えている。パック１０は、個々に、積荷開口部１９を介して、ポケット１４−１６に積荷される。この動作によって、ポケット１４−１６のパック列が全体で押し動かされ、その結果、同時に、向かい側にある排出開口部２０で、パック１０は、該当するポケット１４−１６から、特に、外部のフィルムパックを得るためにパック装置に、排出され、かつ、移動可能である。
【００１４】
乾燥タレット１３は、連続的な回転動作の間、いくつかの装置を通る。引渡し装置２１の領域で、パック１０は、移送タレット１２から、隣のポケット１４−１６の積荷開口部１９に置かれる。加えて、積荷開口部１９に合わせられた支持装置、すなわち、支持板２２が設けられている。タレット１２の引渡しは、後続のタレット１３で行われ、これは、独国特許出願公開４３００１４９号公報に記載されている方法である。
【００１５】
支持板２２上に置かれたパック１０は、乾燥タレット１３の連続した回転動作の際、押し具２３によって、ポケット１４−１６に積荷される。乾燥タレット１３の外側領域に位置決めされたいずれのポケット１４−１６も、押し具２３を備え、この押し具２３は、乾燥タレット１３と共に回転し、かつ、動作棒２４によって動作可能、すなわち、ポケット１４−１６方向に、かつ、出口位置に戻って動作可能である。支持板２２は、中心に支持板２２又は積荷開口部１９のために配置された押し具２３の、又は、動作棒２４と結合したブリッジの、通過のために、中心に分割されるか、又は、スリットが設けられている。
【００１６】
向かい側、すなわち、排出開口部２０の領域で、ポケット１４−１６から排出するパックがステージ２５上に置かれる。ここで、接着結合に関して完全なパック１０が取り出され、かつ、移動路２６に運ばれる（特に、欠陥パック）、又は、取り外しコンベヤ２７に引き渡す。
【００１７】
ポケット１４、１５、１６にパック１０の積荷の際、上端壁１８の領域で、（税金の、又は、押印された）帯封が取り付けられる。これは、積荷開口部の前で、帯封２８が、ポケット１４、１５、１６に積荷の際に、上端壁１８の周りにＵ形状に置かれていることで、準備されている。
【００１８】
パック１０は、ポケット１４−１６の軸方向の寸法に応じて、乾燥タレット１１の数回転の間、ポケット１４−１６にとどまっている。ポケット１４−１６でのパック１０の滞在期間を長くするために、詳しく説明すると、寸法の変更なしに、ポケット１４−１６は、特別な方法で、乾燥タレットに配置されている。いくつかのポケット１４−１６は、ユニットで構成され、このユニットは、交互に、１つの、別の、又は、第３のポケット１４、１５、１６が積荷位置に至り、つまり、折り曲げタレット１１の外側領域に位置するように構成されている。１ユニットに属するポケット１４、１５、１６は、共通の支持体に配置されている。これは、動作可能、すなわち、乾燥タレット１３の外側領域に回転可能に配置されている。これは、軸方向に支持部材３０、３１を構成し、かつ、支持体２９の回転可能な軸受のために回転軸受が、互いに向かい側端部に備えられている。排出開口部２０に配置されている支持部材３１は、モールド体より構成され支持体２９に、ジャーナル３２を備え、回転可能に軸受されている。向かい側で、支持体２９で、動作棒、又は、動作シャフト３３を備えている。この動作シャフト３３は、回転可能に、支持部材３０で軸受され、かつ、動作機構によって、回転して動作可能である。この場合、支持体２９とポケット１４、１５、１６からなるユニットは、乾燥タレット１３に対応して、同様に回転している。
【００１９】
ポケットユニットは、様々に構成可能である。第１の実施例は、２つのポケット１４、１５からなり、それらは、互いに反対の向かい側にある、共通の支持体２９と結合している。支持体２９、又は、（想像する）回転軸は、ポケット１４と１５の間の中心に同一に配置されている。ユニットの回転、又は、支持体の回転は、図６により軸方向内部にあるポケット１５が正確に、ポケット１４の位置に、つまり、乾燥タレットの外側領域に動いている。ポケット１４、１５を備えた支持体２９は、その際、１８０°の差で回転している。特に、折り曲げタレット１１のいずれの回転の後で、ポケット１４、１５の位置交換が実行され、その結果、これらが交互に積荷され、かつ、パック１０が荷降ろしされる。
【００２０】
ポケットユニットは、より多くの第２のポケットを備えている。図７による実施例の場合、同一の角度間隔を持った３つのポケット１４、１５、１６が、互いに、共通の支持体２９に備えられている。個々に約１２０°の支持体の回転によって、ポケット１４、１５、１６は、次々に、軸方向外側の積荷位置に至る。図６の実施例の場合、乾燥タレットの容量は倍増し、かつ、図７の場合、従来の１つのポケットを持った実施形態の３倍になる。
【００２１】
ポケットユニット、又は、支持体２９は、乾燥タレットの回転の間に、伝動機構によって、約１２０°又は約１８０°で、１回、回転させられる。伝動機構は、直立した平面で回転している乾燥タレット１３の上領域に固定されて配置されている（図４）。いずれのポケットユニット、又は、支持体２９にも、回転する動作期間が配置され、その動作期間は、動作シャフト３３に作用している。本実施例の場合、動作伝動機構は、カム機構より構成される。動作機構は、回転体、又は、ローラースター３４であり、かつ、このローラースター３４は、広範囲に閉じられ、スリーブ形状の筐体３５が、乾燥タレット１３の回転に応じて、回転している。その際、乾燥タレット１３の全体の回転の間、半回転、又は、一部の回転が、ポケットユニットに伝達される。
【００２２】
ローラースター３４に、動作手段、つまり、ローラ３６、３７、３８、３９、５６、５７が備えられている。この場合、２つのローラペアが重要である。このローラペアは、ローラースター３４の異なる平面に配置され、かつ、カム軌道が設けられている。ローラのためのロータスター３４、又は、支持体は、ポケットユニットの中心に配置され、つまり、動作軸３３の端部でローラと結合している。
【００２３】
ローラースター３４、又は、この支持体は、２つの互いに間隔をもって配置されている支持ディスク５８、５９からなる。この支持ディスク５８、５９は、互いに、軸方向に向いており、かつ、中間スペース６０を形成し、中心のシャフト部６１を介して、固定され、相互に結合している。中間ローラ３６、３７が、中間スペース６０の領域に配置され、かつ、ここで、２つとも支持ディスク、つまり、ポケットから離れて配置されている支持ディスク５８と結合している。更なるローラ、つまり、一方は３８、３９、かつ、他方は５６、５７は、支持ディスク５８、５９の互いに背を向けた側に、回転可能に軸受され、しかも、ローラ３６、３７に対して約９０°ずれている。
【００２４】
ローラ３６−３０、及び、５６、５７は、カム軌道上を進み、しかも、それぞれペアで進む。カム軌道は、対応して構成され、かつ、周回して進む筐体３５の部分である。外側にあるローラ３８、３９は、第１のカム軌道、つまり、外側カム４１に配置されている。向かい合っているローラ５６、５７は、第２のカム軌道、つまり、内側軌道４２上を進む。主に、円状のカム軌道４１、４２は、同一の直径で構成され、共通の円状平面上に存在する。ローラ３６、３７を配置する第３のカム軌道、つまり、中間カム４３は、カム軌道４１、４２の間の空間に配置され、かつ、円状のより小さい直径を備えている。
【００２５】
ローラは、回転装置の領域、又は、ポケットユニットの回転領域で、効果的になるために（図４）、特別な相対位置で、ローラースター３４に配置されている。ローラ３６、３７は、互いに反対に向かい側に、ローラースターに配置され、しかも、共通の中心の横側に配置されている。一方でローラ３８、３９、かつ、他方で５６、５７は、同様に、それぞれ反対に向かい側に配置されているが、ずれた側に配置されている。図８から明白なように、ローラペア３８、３９の回転方向に前方のローラ３８は、構成されている外側カム４１に接していて、一方、向かい側のローラ３９は外側カム４１から持ち上げられている。反対の相対位置で、運動方向前方にあるローラ５６は、配置された内側軌道４２から持ち上げられている一方、後方のロール５７は、この内側軌道４２に接している。
【００２６】
支持体２９の回転運動の実行のために、カム機構は、回転装置領域に、特徴的な形状を備えている。外側カム４１、及び、内側カム４２は共に、くぼみ４４、つまり、半径方向内部へくぼんで、かつ、丸くなった”へこみ”が備えられている。同じ場所に、カム軌道４３は、高台４５、つまり、軸方向外側に向いた膨らみを設けている。この高台４５は、外側に平坦部６２が設けられ、この平坦部６２によって、ローラースター３４のシャフト部６１が、同じ面にある高台４５上に座礁するのを妨げる。回転運動前方にあるローラ３８の場合、最初に、くぼみ４４に入る。同時に、ローラ３７は、高台４５上に乗りあがる。それによって、ユニットの回転が左回り（図４）に生じる。カム機構の機能は、ローラ３８がくぼみ４４の最も深い場所に到達した場合に、半回転が起きるようになっている。連続した回転運動の場合、ロール３８が、この装置のため、外側カム４１に到達し、そして、乾燥タレット１３の回転方向で前方にある。さらに、ローラ３６は、高台４５の克服後、カム軌道４３との接触を保ち、かつ、同時に、カム軌道４３からローラ３７は持ち上げられる。さらに、ローラペア３８、３９及び５６、５７に関し、変化が生じる。一方のローラ３９、５６は、配置されたカム軌道４１、４２と接している。このペアに配置されたローラによって、ポケットユニットの極めて安定した位置が、回転の間に生じ、かつ、同様に正確な回転運動が、回転部分の領域で生じる。
【００２７】
更なる特徴は、乾燥タレット１３での、パック１０の引渡しである。独国特許出願公開第４３００１４９号明細書による解決手段と類似方法が、ポケット１４−１６の開始面で、パック１０の収納領域があり、つまり、積荷開口部１９に隣接し、かつ、動作可能な支持部が効果的であり、かつ、この支持部は、移送タレット１２から引き継がれ、かつ、ポケット１４−１６に積荷されるまでが説明されている。この支持部は、パック１０の２つの面に効果的なグリップアーム４６である。この並んで配置されたグリップアームのいくつかは、それぞれ、共通のアームホルダー４７に取り付けられており、このアームホルダー４７は、旋廻可能に軸受されている。この回転動作は、動作棒４８から伝わり、この動作棒４８が動作シャフト３３に隣接して配置されている。動作棒４８の回転動作と、グリップアーム４６の旋廻動作は、伝動装置によって引き起こされ、その伝動装置は、カム機構として構成されている。検出ローラ４９、５０は、カム軌道、つまり、内側軌道５１を進み、それらは、筐体３５の周囲に連続する円を構成している。図５から明らかなように、それぞれのアームホルダー４７のための動作棒４８が配置される検出ローラ４９、５０は、スプリング５２によって、カム軌道、又は、内部軌道５１に押し付けている。この軌道は、検出ローラ４９、５０を介して、グリップアーム４６の開閉のため、または、パック１０をつかみ、かつ、放つための旋廻動作が作用するように形成されている。検出ローラ４９、５０は、それぞれ、旋廻アーム５３を介して、動作棒４８と結合している。
【００２８】
折り曲げタレット１１の構成は、動作可能なポケット１４、１５、１６、又は、ポケットユニットに適合している。支持部材３０、３１は、わずかの間隔で互いに軸受されているポケットユニットの収容のために、周囲に動くくぼみに、周囲方向に進行する内壁５４を備えている。動作シャフト３３の十分な支持、及び、運転のために、これは−支持部材３０の他に−更なる、間隔を持って配置されている支持壁５５で用いられる。この支持壁５５と、筐体３５は接続している。
【００２９】
ポケットユニットの動力は、更なる方法でも実行される。それゆえ、いずれのポケットユニットも自分自身の動力、例えば、サーボモータを備えている。
【符号の説明】
【００３０】
１０  パック
１１  折り曲げタレット
１２  移送タレット
１３  乾燥タレット
１４  ポケット
１５  ポケット
１６  ポケット
１７  底壁
１８  上端壁
１９  積荷開口部
２０  排出開口部
２１  引渡し装置
２２  支持板
２３  押し具
２４  動作棒
２５  ステージ
２６  移動路
２７  取り外しコンベヤ
２８  帯封
２９  支持体
３０  支持部材
３１  支持部材
３２  ジャーナル
３３  動作シャフト
３４  ローラースター
３５  筐体
３６  ローラ
３７  ローラ
３８  ローラ
３９  ローラ
４０  くぼみ
４１  外側カム
４２  内側カム
４３  中間カム
４４  くぼみ
４５  高台
４６  グリップアーム
４７  アームホルダー
４８  動作棒
４９  検出ローラ
５０  検出ローラ
５１  内側軌道  
５２  スプリング
５３  旋廻アーム
５４  内壁
５５  支持壁
５６  ローラ
５７  ローラ
５８  支持ディスク
５９  支持ディスク
６０  中間スペース
６１  シャフト部
６２  平坦部
【図１】
2010512287.tif 000003
【図２】
2010512287.tif 000004
【図３】
2010512287.tif 000005
【図４−５】
2010512287.tif 000006
【図６】
2010512287.tif 000007
【図７】
2010512287.tif 000008
【図８】
2010512287.tif 000009
【図９】
2010512287.tif 000010
【国際調査報告】
2010512287.tif 000011
2010512287.tif 000012
2010512287.tif 000013
2010512287.tif 000014